(57)【要約】【課題】外出中の家人が自宅に戻って留守中の来訪者を確認しようとした場合に、テレビ画面を利用して極めて簡単な操作ですぐに来訪者の確認を行うことを可能とする。【解決手段】カメラ付きドアホン子機１０２の接続端子１２ａを有するテレビジョン受信装置１であって、スタンバイ状態において、マイコン２２は、ドアホン子機１０２の訪問ボタンが操作されたか否かを、ドアホン接続端子１２ａを通じて常に監視し、訪問ボタンの操作信号を受信すると、液晶テレビ装置１の電源をオンとし、その後、ドアホン接続端子１２ａを介してドアホン子機１０２のカメラ１０３から送信されてくる映像信号を映像信号処理部１２で順次デジタル信号化し、メモリ接続端子１２ｂを介してＵＳＢメモリ４０に順次記憶する。【選択図】図１
2009302801.tif 000002
【特許請求の範囲】
【請求項１】
カメラ付きドアホン子機の接続端子を有するテレビジョン受信装置において、
映像情報を記憶する記憶手段と、
当該装置のスタンバイ状態において前記ドアホン子機の訪問ボタンが押されたときには、当該装置の電源をオンとし前記ドアホン子機のカメラからの映像信号を受信して前記記憶手段に記憶する記憶制御手段と、
操作手段の操作による電源オン時に前記記憶手段に記憶されている映像信号を再生してテレビのモニタ画面に表示する表示制御手段とを備えたことを特徴とするテレビジョン受信装置。
【請求項２】
請求項１に記載のテレビジョン受信装置において、
前記記憶手段は、外部入力端子と、この外部入力端子に接続可能な外部記憶媒体とからなることを特徴とするテレビジョン受信装置。
【請求項３】
請求項１または請求項２に記載のテレビジョン受信装置において、
前記記憶制御手段は、前記カメラからの映像信号の送信が停止したときには、前記記憶手段への映像信号の記憶を停止することを特徴とするテレビジョン受信装置。
【請求項４】
請求項１または請求項２に記載のテレビジョン受信装置において、
前記記憶制御手段は、前記カメラから送信されてくる映像信号の隣接するフレーム信号同士を順次比較することによって動画状態であるのか静止画状態であるのかを判断し、静止画状態と判断した時点から予め設定されている一定時間が経過したときに前記記憶手段への映像信号の記憶を停止することを特徴とするテレビジョン受信装置。
【発明の詳細な説明】
【技術分野】
【０００１】
本発明は、カメラ付きドアホン子機の接続端子を有するテレビジョン受信装置に係り、より詳細には、来訪者の撮影映像を効果的に記憶及び表示することのできるテレビジョン受信装置に関する。
【背景技術】
【０００２】
従来から、カメラ付きのドアホン子機とテレビ受像機やＶＴＲ等とを接続した装置ないしシステムが提供されている（例えば、特許文献１〜３等参照）。
【０００３】
特許文献１には、ドアチャイムの押釦の操作信号により、ＶＴＲを起動して録画を開始するとともに、テレビ受像機に来訪者の映像を表示するリモコン装置が開示されている。
【０００４】
また、特許文献２には、スイッチアダプタを、インターホン親機とテレビ受像機とを接続するように切り替えておくと、このテレビ受像機を用いてドアホン子機が撮像した来客の映像を映し出すことができ、一方、スイッチアダプタを、ビデオ録画再生装置側へ切り替えると、留守中等に訪れた来客の映像及び音声を、ビデオ録画再生装置による動画として記憶させることのできるテレビインターホンシステムが開示されている。
【０００５】
また、特許文献３には、ＴＶ受像機でＴＶ放送を視聴しているときに、このＴＶ受像機で来訪者を確認できるようにすることを目的として、インターホンスイッチが操作（オン）されたときに、モニタ画面の一部にビデオカメラよりの映像信号を再生し、来訪者の姿とテレビジョン放送の画像との両方を見ることができるようにしたインターホン装置が開示されている。
【特許文献１】実用新案登録第３０３２８６９号公報
【特許文献２】特開平５−２７６５１７号公報
【特許文献３】特開２００１−２１８１９６号公報
【発明の開示】
【発明が解決しようとする課題】
【０００６】
上記特許文献１〜３によれば、留守中やテレビの視聴中に来訪者があったときに、その映像を効果的に録画し、またはテレビで視聴することが可能である。
【０００７】
しかし、例えば外出中の家人が自宅に戻ったときに、留守中の来訪者を確認しようとした場合、上記特許文献１のものでは、まずテレビ受像機とＶＴＲの両方の電源をオンにし、テレビ受像機についてはビデオモードとなるようにモード切り替えを行い、ＶＴＲについては録画した部分をサーチして再生ボタンを操作する、といった煩雑な操作が必要であり、帰宅後すぐに来訪者を確認することができないといった問題があった。
【０００８】
また、上記特許文献２のものでは、スイッチアダプタを、ビデオ録画再生装置側へ切り替えると、留守中等に訪れた来客の映像及び音声を、ビデオ録画再生装置による動画として記憶させることができる。しかし、外出中の家人が自宅に戻ったときに、留守中の来訪者を確認しようとした場合、まずテレビ受像機とビデオ録画再生装置の両方の電源をオンにし、テレビ受像機についてはビデオモードとなるようにモード切り替えを行い、ビデオ録画再生装置については録画した部分をサーチして再生ボタンを操作する、といった煩雑な操作が必要であり、帰宅後すぐに来訪者を確認することができないといった問題があった。
【０００９】
また、上記特許文献３のものでは、在宅時であればＴＶ放送の視聴の有無に係わらず、来訪者をテレビ画面で確認できて便利であるが、例えば外出中の家人が自宅に戻ったときに、留守中の来訪者を確認しようとしても確認することができないといった問題があった。
【００１０】
本発明はかかる問題点を解決すべく創案されたもので、その目的は、外出中の家人が自宅に戻って留守中の来訪者を確認しようとした場合に、テレビ画面を利用して極めて簡単な操作ですぐに来訪者の確認を行うことができるテレビジョン受信装置を提供することにある。
【課題を解決するための手段】
【００１１】
上記目的を達成するため、本発明のテレビジョン受信装置は、カメラ付きドアホン子機の接続端子を有するテレビジョン受信装置において、映像情報を記憶する記憶手段と、当該装置のスタンバイ状態の時に前記ドアホン子機の訪問ボタンが押されたときには、当該装置の電源をオンとし前記ドアホン子機のカメラからの映像信号を受信して前記記憶手段に記憶する記憶制御手段と、操作手段の操作による電源オン時に前記記憶手段に記憶されている映像信号を再生してモニタ画面に表示する表示制御手段とを備えたことを特徴としている。
【００１２】
すなわち、外出中の家人が自宅に戻って留守中の来訪者を確認しようとした場合、リモコン等の操作手段を操作してテレビの電源をオンするだけで、表示制御手段が、記憶手段に記憶されている映像信号を再生してモニタ画面に表示するので、家人は、留守中の来訪者の確認をすぐに行うことが可能となる。
【００１３】
なお、前記記憶手段としては、外部入力端子と、この外部入力端子に接続可能な外部記憶媒体とで構成することができる。具体的には、外部入力端子として例えばＵＳＢ端子を用い、外部記憶媒体としてフラッシュメモリ（ＵＳＢメモリ）を用いることができる。
【００１４】
また、本発明によれば、前記記憶制御手段は、前記カメラからの映像信号の送信が停止したときには、前記記憶手段への映像信号の記憶を停止するように構成する。これにより、来訪者の映像信号を確実に記憶手段に記憶することができる。
【００１５】
また、本発明によれば、前記記憶制御手段は、前記カメラから送信されてくる映像信号の隣接するフレーム信号同士を順次比較することによって動画状態であるのか静止画状態であるのかを判断し、静止画状態と判断した時点から予め設定されている一定時間が経過したときに前記記憶手段への映像信号の記憶を停止するように構成してもよい。このように、静止画状態と判断してから一定時間経過後に映像信号の記憶を停止することで、来訪者の映像を確実に残すことが可能となる。
【発明の効果】
【００１６】
本発明によれば、外出中の家人が自宅に戻って留守中の来訪者を確認しようとした場合、リモコン等の操作手段を操作してテレビの電源をオンするだけで、留守中の来訪者の確認をすぐに行うことができる。
【発明を実施するための最良の形態】
【００１７】
以下、本発明の実施の形態について、図面を参照して説明する。
【００１８】
図１は、本発明の実施形態に係るテレビジョン受信装置の概略構成を示す機能ブロック図であり、ここでは液晶テレビ装置に適用した場合につい説明する。ただし、図１では、本実施形態の液晶テレビ装置１にインターホンシステム１００を構成するドアホン子機１０２が接続された状態で示している。ここで、インターホンシステム１００は、カメラ１０３とマイク１０４を備えたドアホン子機１０２と、室内のリビング等に設置されたドアホン親機１０１とからなるが、このような構成のインターホンシステム１００は従来周知のものであるので、ここではこれ以上の詳細な説明を省略する。
【００１９】
液晶テレビ装置１は、大別すると、チューナ１０、映像信号処理部１２、ＯＳＤ処理部１４、液晶パネル１６、音声信号処理部１８、スピーカ２０、マイコン２２、リモコン３０からのリモコン信号を受信するリモコン受信部２４、液晶パネル１６の背面から光を照射するバックライト２６、バックライト２６に電圧を供給して駆動するインバータ回路２８、マイコン２２による制御時に各種時間を計測するタイマー回路２９を含んで構成されている。また、映像信号処理部１２には、ドアホン子機１０２を接続するドアホン接続端子１２ａと、外部記憶媒体であるＵＳＢメモリ４０を接続可能なメモリ接続端子（請求項に記載の外部入力端子に相当）１２ｂとが設けられている。
【００２０】
上記構成において、チューナ１０は、マイコン２２の制御により、アンテナ１０ａを介してテレビジョン放送信号を受信し、所定の信号増幅処理等を行いつつテレビジョン放送信号から中間周波信号としての映像信号を抽出し、映像信号処理部１２へ出力する。
【００２１】
映像信号処理部１２は、入力された映像信号をその信号レベルに応じてデジタル信号化するとともに、映像信号から抽出した輝度信号と色差信号とに基づいてマトリクス変換処理を行い、画像データとしてのＲＧＢ（レッド、グリーン、ブルー）信号を生成する。そして、このＲＧＢ信号に対して液晶パネル１６の画素数（横縦比、ｍ：ｎ）に合わせたスケーリング処理を行い、液晶パネル１６に表示する１画面分の画像データを生成する。このように生成された画像データを液晶パネル１６に出力することにより、液晶パネル１６に画像データに基づく画像が表示される。
【００２２】
ＯＳＤ処理部１４には、映像信号処理部１２から入力される画像データにオンスクリーンディスプレイ信号（ＯＳＤ信号）を重畳することにより、映像に所定の静止画像を重ねて表示したり、所定の静止画像を差し替えて表示する等の処理を行うことができる。より具体的には、ＯＳＤ処理部１４に文字情報等のデ−タがマイコン２２から入力されると、この文字情報等のデ−タに基づいて静止画像を生成して画像データに重畳して、ＯＳＤ信号の重畳された画像データを液晶パネル１６に出力する。マイコン２２から文字情報等のデ−タ入力がないときは、映像信号処理部１２から入力された画像データをそのまま液晶パネル１６に出力する。
【００２３】
液晶パネル１６は、各画素を駆動するパネル駆動回路を備えており、ＯＳＤ処理部１４から入力される画像データに従って液晶パネル１６の各表示セルを駆動して、画面に映像を表示する。
【００２４】
インバータ回路２８は、図示しない電源回路から直流電圧が供給され、この電源回路から供給された直流電圧を高圧の交流電圧に変換し、駆動信号としての当該交流電圧をバックライト２６に供給する。なお、電源回路は、外部の商用電源等から電源電圧（交流）の供給を受けて必要に応じて電圧を交流から直流へと変換し、この供給された電源電圧をマイコン２２やインバータ回路２８等の各回路へ供給する。
【００２５】
バックライト２６は、放電灯としての複数の蛍光管を有し、液晶パネル１６を背面から照射する光源の役割を果たす。つまり、バックライト２６は、インバータ回路２８から供給される高電圧で点灯され、液晶パネル１６の背後から光を照射する。本実施形態では、バックライトとして冷陰極蛍光管を用いている。
【００２６】
マイコン２２は、液晶テレビ装置１を構成する各部と電気的に接続しており、マイコン２２内部の構成部品としてのＣＰＵが、同じくマイコン２２内の構成部品であるＲＯＭやＲＡＭなどに書き込まれた各プログラムに従って、液晶テレビ装置１全体を制御する。ＣＰＵやＲＯＭやＲＡＭについては図示を省略している。
【００２７】
具体的には、マイコン２２は、ＣＰＵの制御により、リモコン受信部２４から電圧信号を入力して対応するキー操作を検知するとリモコン３０からの操作入力を受け付け、受け付けた操作入力に対応した制御を行う。
【００２８】
また、マイコン２２は、映像信号処理部１２に対しては映像信号処理を指示する制御信号を出力し、音声信号処理部１８に対しては音声信号処理及び音声信号出力レベルを指示する制御信号を出力し、ＯＳＤ処理部１４に対しては画像データに文字または図形を重畳して表示するＯＳＤ信号の生成と画像データへの重畳とを指示する制御信号を出力し、インバータ回路２８に対してはバックライト２６の点灯または消灯するための制御信号を出力している。
【００２９】
また、マイコン２２は、液晶テレビ装置１がスタンバイ状態のときにドアホン子機１０２の図示しない訪問ボタンが押されると、この訪問ボタンの操作信号をドアホン接続端子１２ａを介して受信し、この受信した操作信号に基づいて液晶テレビ装置１の電源をオンとする。そして、その後、ドアホン接続端子１２ａを介してドアホン子機１０２のカメラ１０３から送信されてきた映像信号を映像信号処理部１２でデジタル信号化し、メモリ接続端子１２ｂを介してＵＳＢメモリ４０に記憶する。また、マイコン２２は、リモコン３０の操作による電源オン時にＵＳＢメモリ４０に記憶されている来訪者の映像信号を映像信号処理部１２で再生して液晶パネル１６の画面に表示するようになっている。
【００３０】
リモコン３０は、図示は省略しているが、操作を受け付ける複数のキーと、リモコン信号をリモコン受信部２４に向けて送信するリモコン信号送信部とを備え、複数のキーの操作に応じたリモコン信号を所定のフォーマットで送出する。例えば、リモコン３０を用いて所望のチャンネルを受信させるべく操作すると、リモコン信号送信部から対応するリモコン信号が送出される。そして、マイコン２２がリモコン受信部２４を介してリモコン信号を受信し、対応するチャンネルを受信させるように周波数データをチューナ１０に送出する。
【００３１】
次に、上記構成の液晶テレビ装置１において、来訪者がドアホン子機１０２の訪問ボタンを押したときのマイコン２２での記憶処理動作の具体例１について、図２に示すフローチャートを参照して説明する。ただし、液晶テレビ装置１はスタンバイ状態となっているものとする。ここで、スタンバイ状態とは、マイコン２２が、リモコン３０からの操作信号とドアホン接続端子１２ａを介したドアホン子機１０２からの操作信号の待ち受け状態となっており、他の機能については電源をオフしている状態のことである。
【００３２】
＜記憶処理動作の具体例１＞
スタンバイ状態において、マイコン２２は、ドアホン子機１０２の訪問ボタンが操作されたか否かを、ドアホン接続端子１２ａを通じて常に監視している（ステップＳ１）。そして、ドアホン接続端子１２ａを通じてドアホン子機１０２から訪問ボタンの操作信号を受信すると（ステップＳ１でＹｅｓと判断されると）、マイコン２２は、液晶テレビ装置１の電源をオンとし（ステップＳ２）、その後、ドアホン接続端子１２ａを介してドアホン子機１０２のカメラ１０３から送信されてくる映像信号を映像信号処理部１２で順次デジタル信号化し、メモリ接続端子１２ｂを介してＵＳＢメモリ４０に順次記憶する（ステップＳ３）。
【００３３】
ここで、インターホンシステム１００は、通常、訪問ボタンの押し下げ後、ドアホン親機１０１側で応答操作が一定時間されない場合には、カメラ１０３による撮影を自動的に停止するようになっている。従って、マイコン２２は、ステップＳ３で映像信号の記憶を開始後、ドアホン子機１０２からの映像信号の有無を監視し（ステップＳ４）、ドアホン子機１０２から映像信号の送信が停止すると（ステップＳ４でＹｅｓと判断されると）、ＵＳＢメモリ４０への記憶を停止するとともに（ステップＳ５）、その間に記憶した映像信号に所定のコード（例えば、訪問者１を示す「００１」のコード）を付与してＵＳＢメモリに保存し（ステップＳ６）、再びスタンバイ状態に移行して（ステップＳ７）、ステップＳ１に戻り、訪問ボタンの操作信号の監視を継続する。
【００３４】
マイコン２２は、スタンバイ状態において、訪問ボタンが押されるたびに、上記処理（ステップＳ１〜ステップＳ７）を繰り返す。
【００３５】
これにより、例えばスタンバイ状態において訪問ボタンが３回押された場合には、ＵＳＢメモリ４０には、３件分の映像信号がそれぞれの訪問コード（例えば、「００１」、「００２」、「００３」とともに保存されることになる。
【００３６】
次に、来訪者がドアホン子機１０２の訪問ボタンを押したときのマイコン２２での記憶処理動作の具体例２について、図３に示すフローチャートを参照して説明する。
【００３７】
＜記憶処理動作の具体例２＞
スタンバイ状態において、マイコン２２は、ドアホン子機１０２の訪問ボタンが操作されたか否かを、ドアホン接続端子１２ａを通じて常に監視している（ステップＳ１１）。そして、ドアホン接続端子１２ａを通じてドアホン子機１０２から訪問ボタンの操作信号を受信すると（ステップＳ１１でＹｅｓと判断されると）、マイコン２２は、液晶テレビ装置１の電源をオンとし（ステップＳ１２）、その後、ドアホン接続端子１２ａを介してドアホン子機１０２のカメラ１０３から送信されてくる映像信号を映像信号処理部１２で順次デジタル信号化し、メモリ接続端子１２ｂを介してＵＳＢメモリ４０に順次記憶する（ステップＳ１３）。
【００３８】
次に、マイコン２２は、ドアホン子機１０２から送信されてくる映像信号の隣接するフレーム信号同士を順次比較して（ステップＳ１４）、送信されてくる映像信号が動画状態であるのか静止画状態であるのかの判定処理を行う（ステップＳ１５，Ｓ１６）。
【００３９】
具体的には、隣接するフレーム信号の差分を取り、その差分量が予め設定された閾値を超えているか否かを判断する。そして、差分量が閾値を超えている場合には動画状態であると判断し、差分量が閾値以下である場合には静止画状態であると判断する。そして、静止画状態であると判断してからタイマー回路２９によって予め設定された一定時間（例えば５秒等）が経過したか否かを確認する（ステップＳ１７）。すなわち、一定時間が経過するまでは、ＵＳＢメモリ４０への記憶を継続しつつ、ステップＳ１４に戻って動画状態と静止画状態の判定処理を継続する。
【００４０】
その結果、静止画状態と判断されてから一定時間が経過した場合（ステップＳ１７でＹｅｓと判断された場合）には、来訪者がすでに立ち去っていると判断できるので、その時点でＵＳＢメモリ４０への記憶を停止するとともに（ステップＳ１８）、その間に記憶した映像信号に所定のコード（例えば、訪問者１を示す「００１」のコード）を付与してＵＳＢメモリに保存し（ステップＳ１９）、再びスタンバイ状態に移行して（ステップＳ２０）、ステップＳ１１に戻り、訪問ボタンの操作信号の監視を継続する。
【００４１】
マイコン２２は、スタンバイ状態において、訪問ボタンが押されるたびに、上記処理（ステップＳ１１〜ステップＳ２０）を繰り返す。
【００４２】
これにより、例えばスタンバイ状態において訪問ボタンが３回押された場合には、ＵＳＢメモリ４０には、３件分の映像信号がそれぞれの訪問コード（例えば、「００１」、「００２」、「００３」とともに保存されることになる。本具体例２によれば、来訪者の姿を途切れることなく全て保存することができる。
【００４３】
次に、上記具体例１，２のようにしてＵＳＢメモリ４０に記憶した映像情報を再生する場合の実施例について、図４に示すフローチャートを参照して説明する。
【００４４】
外出先から帰宅した家人が、リモコン３０の図示しない電源ボタンを操作すると、マイコン２２は、リモコン受信部２４を介してこの操作信号を受信し（ステップＳ３０）、液晶テレビ装置１の電源をオンする（ステップＳ３１）。次に、マイコン２２は、メモリ接続端子１２ｂにＵＳＢメモリ４０が接続されているか否かを確認し（ステップＳ３２）、ＵＳＢメモリ４０が接続されている場合には、次に、そのＵＳＢメモリ４０に映像信号が記憶されているか否かを確認する（ステップＳ３３）。この確認は、例えば訪問者コードが記憶されているか否かで行うことができる。
【００４５】
その結果、ＵＳＢメモリ４０に映像信号が記憶されている場合（ステップＳ３３でＹｅｓと判断された場合）には、すぐさま不在時来訪者の再生モードに移行する。すなわち、マイコン２２は、ＵＳＢメモリ４０に記憶されている来訪者の映像信号を、来訪者コード順に映像信号処理部１２で再生して、液晶パネル１６の画面に表示する（ステップＳ３４）。
この再生は、例えば１回再生して自動的に終了するように設定されていてもよいし、例えば複数回（２回等）繰り返し再生して自動的に終了するように設定されていてもよい。また、リモコン３０に停止ボタンを設けておき、家人が停止ボタンを押すことで再生を停止するようにしてもよい。さらには、リモコン３０に再生ボタンを設けておき、一旦再生を終了した後、この再生ボタンを押すことで、ＵＳＢメモリ４０に記憶されている映像信号を再び再生できるようにしてもよい。
【００４６】
なお、このときの再生画像は上記のように動画再生でもよいし、各訪問者コードの映像信号の中から最初のフレーム画像を静止画像として一覧表示する、サムネイル画像による表示でもよい。
【００４７】
このようにして不在時来訪者の再生を終了すると、液晶テレビ装置１は通常の電源オン時と同様、前回電源オフ時に受信していたチャンネルと同じチャンネルを受信して、液晶パネル１６に表示し（ステップＳ３５）、その後は通常通りのリモコン操作に対応するようになっている。
【００４８】
一方、ステップＳ３２でメモリ接続端子１２ｂにＵＳＢメモリ４０が接続されていないと判断された場合、及びステップＳ３３でＵＳＢメモリ４０に映像信号が記憶されていないと判断された場合には、ステップＳ３５に進み、前回電源オフ時に受信していたチャンネルと同じチャンネルを受信して、液晶パネル１６に表示することになる。
【００４９】
なお、上記実施形態では、来訪者がドアホン子機１０２の訪問ボタンを押したとき、ＵＳＢメモリ４０に映像信号を記憶する具体例について説明しているが、メモリ接続端子１２ｂにＵＳＢメモリ４０が接続されていなかった場合には、このような記憶処理動作を行わないことは当然である。また、メモリ接続端子１２ｂにＵＳＢメモリ４０が接続されていても、ＵＳＢメモリ４０自体に十分な記憶可能残容量が残されていなかった場合には、例えば古い訪問者コードの映像信号から順に消去して、新しい映像信号を記憶するように構成すればよい。または、ＵＳＢメモリ４０自体の記憶可能残容量が少なくなった場合には、古い映像信号を消去するのではなく、その後の来訪者の映像信号を静止画として複数枚記憶していくように構成してもよい。このように、複数枚の静止画を記憶することでも、少なくとも来訪者が誰であるのかを判断することは可能であり、不在時の来訪者の確認という意味ではそれでも目的を達成することが可能である。
【００５０】
さらに、上記実施形態では、メモリ接続端子１２ｂに接続されたＵＳＢメモリ４０に映像信号を記憶していく構成としているが、液晶テレビ装置１に例えば録画用のハードディスクドライブが搭載されている場合には、そのハードディスクドライの所定の領域を不在者録画用に予め割り当てておいてもよい。
【００５１】
さらにまた、上記実施形態では、来訪者がドアホン子機１０２の訪問ボタンを押したとき、ＵＳＢメモリ４０に映像信号を記憶することしか説明していないが、この場合に液晶パネル１６も駆動し、来訪者の映像信号を液晶パネル１６に同時に表示するようにしてもよい。すなわち、液晶テレビ装置１がスタンバイ状態であっても、家人が不在であるとは限らない。従って、来訪者がドアホン子機１０２の訪問ボタンを押したときに液晶パネル１６を駆動して、来訪者の映像を表示することは有効である。また、液晶テレビ装置１がオン状態であって、受信チャンネルを表示している場合であっても、ピクチャーインピクチャー機能のように、その表示の一部に来訪者の映像を重ねて表示するようにしてもよい。
【図面の簡単な説明】
【００５２】
【図１】本発明の実施形態に係るテレビジョン受信装置の概略構成を示す機能ブロック図である。
【図２】来訪者がドアホン子機の訪問ボタンを押したときのマイコンでの記憶処理動作の具体例１を示すフローチャートである。
【図３】来訪者がドアホン子機の訪問ボタンを押したときのマイコンでの記憶処理動作の具体例２を示すフローチャートである。
【図４】ＵＳＢメモリに記憶した映像情報を再生する場合の処理動作を示すフローチャートである。
【符号の説明】
【００５３】
１  液晶テレビ装置
１０  チューナ
１２  映像信号処理部
１２ａ  ドアホン接続端子
１２ｂ  メモリ接続端子
１４  ＯＳＤ処理部
１６  液晶パネル
１８  音声信号処理部
２０  スピーカ
２２  マイコン
２４  リモコン受信部
２６  バックライト
２８  インバータ回路
２９  タイマー回路
３０  リモコン
４０  ＵＳＢメモリ
１００  インターホンシステム
１０１  ドアホン親機
１０２  ドアホン子機
１０３  カメラ
１０４  スピーカ
【図１】
2009302801.tif 000003
【図２】
2009302801.tif 000004
【図３】
2009302801.tif 000005
【図４】
2009302801.tif 000006